(57)【特許請求の範囲】
【請求項１】
上下の階に設置した可変速スプロケット（４）の間を循環する可変速チェーン（５）の連結ピン（１７）にステップ（１）を組み込み、ステップ（１）の前面には蹴上板・その上面には踏面・その両側端上には手摺り（３）を設け、ステップ（１）の前後にその一端に蹴上板をもうけた補助ステップ（１８）を組み込み、可変速チェーンの変速比を大きくして大と小のピッチの比率が１対１，４１を越える状況になった際は、その変速比に応じてステップ（１）と複数の補助ステップによって一つの踏み段を形成する様にした事を特徴とするエスカレーター。
【発明の詳細な説明】
【０００１】
【産業上の利用分野】
本発明は、長い行程を昇降するエスカレーターの移動速度を速くする為めに開発した、変速可能なエスカレーターに関する物である。
【０００２】
【従来の技術】
従来のエスカレーターは構造的に増減速出来なかった。
【０００３】
【発明が解決しようとする課題】
公知のエスカレーターは乗り降りの安全を考慮した速度で運転しているため、長い行程を昇降する場合には遅く感じられた。
本発明は、これらの欠点を除くためになされたものである。
【０００４】
【課題を解決するための手段】
エスカレーターの両端に可変速スプロケット４を設置し、上下各乗降口の前後に操作レール９を配し、これ等の間にステップ１、手摺り２を有する可変速チェーン５を循環させる。
【０００５】
【作用】
昇り口の可変速スプロケット４を通過したステップ１は、これを保持する可変速チェーンが操作レール９によって増速されるのに伴い徐々に段差を増して上方に移動する。降口が近付くと上階に設置した操作レールによって減速し段差を減少させて降口にいたり一連の増減速を完了する。
【０００６】
【実施例１】
本発明の実施例について説明する。図１は当該エスカレーターの概要を示す全体図で、上下各階に設置した可変速スプロケット４の間をステップ１が循環しており、手摺り２はこのステップと連動している。
図２・図３は昇り口における可変速チェーン５の動きを示す説明図である。案内ローラー６及び操作ローラー８を有する可変速チェーン５は、案内レール７操作レール９によってそのピッチを変えるが、更に可変速スプロケット４を通過する間にもピッチを変えることになる。この時ステップ１は図４及び図６に示す通り可変速チェーンの連結ピン１７上にありこれと連動している、またステップ１の下部にはウォームギャ１０に噛込むピン１２が設けてあり更にその下方に駆動を円滑にするため補助ローラー１１を有する。
つまり当該エスカレーターは増減速部の下に設けたウォームギャ１０によって駆動する構造である。この場合エスカレーターの増減速部はその特性として曲線になるが、ウォームギャによる駆動は増減速部の直線に近い一部だけで良く他は駆動されている可変速チェーンが自動的に増減速を継続する。
図５は降り口における可変速チェーンの動きを示すもので昇り口と同様な動きをする。上記昇降部における可変速チェーンのピッチつまり増減速量とステップの段差Ｘとの関係は次ぎに記すようになる。
Ｘ＝（Ｐ２−  Ｆ２）１／２
Ｐ；可変速チェーンのピッチ
Ｆ；乗降部ステップの奥行き
図５・図７により可変速スプロケットの概要を説明する。可変速スプロケットはスプロケット本体１４ガイド１５スライドギャ１３によって構成され、スプロケット本体及びガイドは図７に示す通りそれぞれ異なる回転軸Ａ．Ｂを有する。スライドギャは下端をスプロケット本体に保持され、中央部のスリット１６内をガイドに設けたピンが貫通している。このためスプロケットが旋回するとこれ等相互の位置関係から、スライドギャが首振り運動をして隣接するギャとの間隔を変化させ、スプロケットの上下間で異なるピッチを得る事ができるわけである。このため降り口で減速状態にされた可変速チェーンはスプロケットを通過する間に自由長になって反対側のスプロケットに到りここで又減速される。
なほステップ１と一体の手摺り保持柱３上には伸縮自在な手摺り２が柱毎に固定されておりステップの移動速度に合わせて動く構造になっている。
【実施例２】
以下、本発明の実施例２について説明する。
図８は、本発明に係るエスカレーターの全体図である。可変速チェーンの変速比を大きくして１対１．４１倍を越えると、エスカレーターの傾斜角度は４５度以上になり、ステップ間の段差がその奥行き寸法を越えて不安定になる。
こうした欠点を解消するため本案は第１実施例に示すステップの他に補助ステップを設けた事を特長とする。図９はその細部を示す説明図であり、ステップ１は可変速チェーン５の最小ピッチ長の２倍の奥行き寸法を有し、その高さは可変速チェーン５の最大ピッチ長の２分の１強の寸法である、その不足分を補う為補助ステップ１８がステップ１と交互に組み込まれ、それぞれ可変速チェーン５の連結ピン１６に契合される。補助ステップについて図１０により説明すると、当該ステップはその前面に蹴上げ板１９を有すると共に連結ピン１６が貫通する連結ピン孔２０並びにウォームギャに噛込むピン１２が設けられている。
本発明は以上のような構造なので、低速部では補助ステップ１８はステップ１の影に隠れて見えないが、増速されて段差が大きくなるとステップ１の蹴上げ板寸法の不足分を補助ステップの蹴上げ板１９が補って蹴上げ部の安全を確保する。
更に、エスカレーターの傾斜角が大きくなると従来の手摺りでは不安定になるので、図９に示す通りそれぞれのステップに手摺りを固定し、利用者と手摺りの関係を一定に保つようにする。
その他の構成は、上記第１実施例と同様である。
尚  当該第２実施例はステップ１と補助ステップ１８で１つのステップの役目を果たす為、第１実施例に比べて可変速チェーンの数は倍必要であるが、その大きさは半分で良く、可変速スプロケットその他の駆動部品も小さくなる。この為狭いスペースであってもエスカレーターを設置する事が可能である。
【０００８】
【発明の効果】
以上に述べたように本発明によれば、可変速チェーン５は操作レール８及び可変速スプロケット４を通過する間に増減速を繰り返し、更に手摺り２がステップ１と連動している為増減速しても乗客は安心して手摺りに掴まっておられるわけである。
【図面の簡単な説明】
【図  １】  実施例１に係るエスカレーターの全体図
【図  ２】  昇り口の可変速チェーンの動きを示す説明図
【図  ３】  昇り口の各レールの状況を示す説明図
【図  ４】  実施例１に係る昇り口のステップの動きを示す説明図
【図  ５】  降り口の可変速チェーンの動きを示す説明図
【図  ６】  ウォームギャ部の縦断面図
【図  ７】  可変速スプロケット部の縦断面図
【図  ８】  実施例２に係るエスカレーターの全体図
【図  ９】  実施例２に係る昇り口のステップの動きを示す説明図
【図１０】  実施例２に係る補助ステップの説明図
【符号の説明】
１，ステップ              ２，手摺り                ３，手摺り保持柱
４，可変速スプロケット    ５，可変速チェーン        ６，案内ローラー
７，案内レール            ８，操作ローラー          ９，操作レール
１０，ウォームギャ        １１，補助ローラー        １２，ピン
１３，スライドギャ        １４，スプロケット本体    １５，ガイド
１６，スリット            １７，連結ピン            １８，補助ステップ
１９，蹴上げ板            ２０，連結ピン孔
【図１】
0004538678.tif 000002
【図２】
0004538678.tif 000003
【図３】
0004538678.tif 000004
【図４】
0004538678.tif 000005
【図５】
0004538678.tif 000006
【図６】
0004538678.tif 000007
【図７】
0004538678.tif 000008
【図８】
0004538678.tif 000009
【図９】
0004538678.tif 000010
【図１０】
0004538678.tif 000011